(57)【要約】【課題】  本発明は、画像形成装置の冷却ファンの動作異常を簡易な回路構成で検知し、画像形成動作の停止及びファンモータの停止制御を行う画像形成装置およびその制御方法を提供する。【解決手段】  画像形成装置の画像形成動作を制御するエンジン制御部と、複数の冷却ファンをそれぞれ駆動する複数のファンモータと、エンジン制御部の制御状態に応じてファンモータに供給する電流を調整制御する複数のファンモータ駆動回路と、複数のファンモータを流れる総電流値を検出する電流検出回路と、ファンモータの駆動状態に応じて複数のファンモータを流れる総電流の規定値を保持する規定値保持手段と、規定値と検出された総電流値とに基づき冷却ファンの動作異常を検知するファン異常検知手段と、冷却ファンの動作異常を検知した場合は、画像形成動作及びファンモータの停止を指示する停止制御手段とを具備する。【選択図】  図１
2007233285.tif 000002
【特許請求の範囲】
【請求項１】
画像を媒体上に形成する一連の画像形成動作を制御するエンジン制御部と冷却ファンとを備えた画像形成装置において、
前記冷却ファンを駆動するファンモータと、
前記エンジン制御部の制御状態に応じて前記ファンモータに供給する電流を調整制御するファンモータ駆動回路と、
前記ファンモータを流れる電流値を検出する電流検出回路と、
前記ファンモータの駆動状態に応じて前記ファンモータを流れる電流の規定値を予め取得して保持する規定値保持手段と、
前記電流検出回路で検出された電流値と前記規定値保持手段で保持された規定値とに基づき前記冷却ファンの動作異常を検知するファン異常検知手段と、
前記ファン異常検知手段で前記冷却ファンの動作の異常を検知した場合は、前記エンジン制御部に前記画像形成動作の停止を指示するとともに、前記ファンモータ駆動回路に前記ファンモータの停止を指示する停止制御手段と
を具備することを特徴とする画像形成装置。
【請求項２】
画像を媒体上に形成する一連の画像形成動作を制御するエンジン制御部と複数の冷却ファンとを備えた画像形成装置において、
前記複数の冷却ファンをそれぞれ駆動する複数のファンモータと、
前記エンジン制御部の制御状態に応じて前記複数のファンモータに供給する電流をそれぞれ調整制御する複数のファンモータ駆動回路と、
前記複数のファンモータを流れる総電流値を検出する電流検出回路と、
前記ファンモータの駆動状態に応じて前記複数のファンモータを流れる総電流の規定値を予め取得して保持する規定値保持手段と、
前記電流検出回路で検出された総電流値と前記規定値保持手段で保持された規定値とに基づき前記複数の冷却ファンのいずれかの動作異常を検知するファン異常検知手段と、
前記ファン異常検知手段で前記複数の冷却ファンのいずれかの動作異常を検知した場合は、前記エンジン制御部に前記画像形成動作の停止を指示するとともに、前記複数のファンモータ駆動回路に前記複数のファンモータの停止を指示する停止制御手段と
を具備することを特徴とする画像形成装置。
【請求項３】
画像を媒体上に形成する一連の画像形成動作を制御するエンジン制御部と冷却ファンとを備えた画像形成装置が前記冷却ファンの動作異常を検知し、該検知結果に基づき印刷制御を行う制御方法であって、
前記冷却ファンを駆動するファンモータと、
前記ファンモータに供給する電流を前記エンジン制御部の制御状態に応じて前記ファンモータ駆動回路で調整制御し、
前記エンジン制御部の制御状態に応じて前記ファンモータ駆動回路で調整制御されて前記ファンモータを流れる電流の規定値を予め規定値保持手段で取得して保持し、
前記エンジン制御部の制御状態に応じて前記ファンモータ駆動回路で調整制御されて前記ファンモータを流れる電流値を電流検出回路で検出し、
前記電流検出回路で検出された電流値と前記規定値保持手段で保持された規定値とに基づき前記冷却ファンの動作異常の有無をファン異常検知手段で検知し、
前記ファン異常検知手段で前記冷却ファンの動作の異常を検知した場合は、前記エンジン制御部に前記画像形成動作の停止を指示するとともに、前記ファンモータ駆動回路に前記ファンモータの停止の指示を停止制御手段により行う
ことを特徴とする制御方法。
【請求項４】
画像を媒体上に形成する一連の画像形成動作を制御するエンジン制御部と複数の冷却ファンとを備えた画像形成装置が前記複数の冷却ファンの動作異常を検知し、該検知結果に基づき印刷制御を行う制御方法であって、
前記複数の冷却ファンをそれぞれ駆動する複数のファンモータと、
前記複数のファンモータに供給する電流を前記エンジン制御部の制御状態に応じてそれぞれの複数のファンモータ駆動回路で調整制御し、
前記エンジン制御部の制御状態に応じて前記複数のファンモータ駆動回路で調整制御されて前記複数のファンモータを流れる電流の規定値を予め規定値保持手段で取得して保持し、
前記エンジン制御部の制御状態に応じて前記複数のファンモータ駆動回路で調整制御されて前記複数のファンモータを流れる電流値を電流検出回路で検出し、
前記電流検出回路で検出された電流値と前記規定値保持手段で保持された規定値とに基づき前記複数の冷却ファンの動作異常の有無をファン異常検知手段で検知し、
前記ファン異常検知手段で前記複数の冷却ファンの動作の異常を検知した場合は、前記エンジン制御部に前記画像形成動作の停止を指示するとともに、前記複数のファンモータ駆動回路に前記複数のファンモータの停止の指示を停止制御手段により行う
ことを特徴とする制御方法。
【発明の詳細な説明】
【技術分野】
【０００１】
本発明は、画像形成装置およびその制御方法に関し、特に、装置の過熱防止のために装置に配置された冷却ファンの動作異常を簡易な回路構成により検知し、異常検知の場合には画像形成動作の停止及びファンモータの停止制御を行う画像形成装置およびその制御方法に関する。
【背景技術】
【０００２】
従来、印刷装置や複写機等の画像形成装置は、装置内の電子機器やモータ等の動作による発熱により温度が上昇し、装置内の温度が許容範囲を超えて上昇すると装置を構成する電子装置の回路等が誤動作や不具合を起こす場合がある。
【０００３】
ゆえに画像形成装置には装置が過熱しないように装置を冷却する冷却ファン及び冷却ファンを回転させるファンモータが配置されており、冷却ファンを回転させることで装置内で発生する熱気を装置外へ排気し、装置内の温度を適宜調整している。
【０００４】
したがって、冷却ファン回転の不具合は、装置を過熱させ装置の誤動作や故障の原因となるため、冷却ファンが正常に回転動作しているか否かを監視する必要がある。
【０００５】
そこで、例えば特許文献１には、ファンモータと接続されたファンの回転軸に被検出部を配置し、被検出部を検出する検出部を被検出部に対応させて配置し、ファンの回転に応じて検出部から出力される回転信号を処理してファンの回転異常を検出するように構成されたファン動作検出装置が提案されている。
【０００６】
上記特許文献１のファン動作検出装置を例えば画像形成装置等の冷却装置として適用することで画像形成装置本体は、画像形成装置に配置されたファンの動作を直接監視して異常検知を行う必要が無くなり、この検知動作に伴う複雑な制御動作の負荷が軽減される
【特許文献１】特開平０８−０２９４４２号公報
【発明の開示】
【発明が解決しようとする課題】
【０００７】
しかしながら、上記特許文献１に示されるファン動作検出装置は、ファンの回転軸に配置する被検出部（例えば永久磁石）や被検出部を検出する検出部（例えば磁気検知センサー）、ファンの回転に応じて検出部から出力される回転信号に基づきファンの回転状態の異常を判断する判断手段（例えば回転監視回路部）をファン及びファンモータを備えた冷却装置に新たに設置する必要があり、その分だけ製造コストが高くなる。
【０００８】
また、画像形成装置によっては、多数のファンを必要とする場合もあり、ファンの数に応じてファン動作を検出するための被検出部や検出部が必要となり、結果として画像形成装置の製造コストが高くなる。
【０００９】
そこで、本発明は、装置の過熱防止のために装置に配置された冷却ファンの動作異常を簡易な回路構成により検知し、異常検知の場合には画像形成動作の停止及びファンモータの停止制御を行う画像形成装置およびその制御方法を提供することを目的とする。
【課題を解決するための手段】
【００１０】
上記目的を達成するため、請求項１の発明は、画像を媒体上に形成する一連の画像形成動作を制御するエンジン制御部と冷却ファンとを備えた画像形成装置において、前記冷却ファンを駆動するファンモータと、前記エンジン制御部の制御状態に応じて前記ファンモータに供給する電流を調整制御するファンモータ駆動回路と、前記ファンモータを流れる電流値を検出する電流検出回路と、前記ファンモータの駆動状態に応じて前記ファンモータを流れる電流の規定値を予め取得して保持する規定値保持手段と、前記電流検出回路で検出された電流値と前記規定値保持手段で保持された規定値とに基づき前記冷却ファンの動作異常を検知するファン異常検知手段と、前記ファン異常検知手段で前記冷却ファンの動作の異常を検知した場合は、前記エンジン制御部に前記画像形成動作の停止を指示するとともに、前記ファンモータ駆動回路に前記ファンモータの停止を指示する停止制御手段とを具備することを特徴とする。
【００１１】
また、請求項２の発明は、画像を媒体上に形成する一連の画像形成動作を制御するエンジン制御部と複数の冷却ファンとを備えた画像形成装置において、前記複数の冷却ファンをそれぞれ駆動する複数のファンモータと、前記エンジン制御部の制御状態に応じて前記複数のファンモータに供給する電流をそれぞれ調整制御する複数のファンモータ駆動回路と、前記複数のファンモータを流れる総電流値を検出する電流検出回路と、前記ファンモータの駆動状態に応じて前記複数のファンモータを流れる総電流の規定値を予め取得して保持する規定値保持手段と、前記電流検出回路で検出された総電流値と前記規定値保持手段で保持された規定値とに基づき前記複数の冷却ファンのいずれかの動作異常を検知するファン異常検知手段と、前記ファン異常検知手段で前記複数の冷却ファンのいずれかの動作異常を検知した場合は、前記エンジン制御部に前記画像形成動作の停止を指示するとともに、前記複数のファンモータ駆動回路に前記複数のファンモータの停止を指示する停止制御手段とを具備することを特徴とする。
【００１２】
また、請求項３の発明は、画像を媒体上に形成する一連の画像形成動作を制御するエンジン制御部と冷却ファンとを備えた画像形成装置が前記冷却ファンの動作異常を検知し、該検知結果に基づき印刷制御を行う制御方法であって、前記冷却ファンを駆動するファンモータと、前記ファンモータに供給する電流を前記エンジン制御部の制御状態に応じて前記ファンモータ駆動回路で調整制御し、前記エンジン制御部の制御状態に応じて前記ファンモータ駆動回路で調整制御されて前記ファンモータを流れる電流の規定値を予め規定値保持手段で取得して保持し、前記エンジン制御部の制御状態に応じて前記ファンモータ駆動回路で調整制御されて前記ファンモータを流れる電流値を電流検出回路で検出し、前記電流検出回路で検出された電流値と前記規定値保持手段で保持された規定値とに基づき前記冷却ファンの動作異常の有無をファン異常検知手段で検知し、前記ファン異常検知手段で前記冷却ファンの動作の異常を検知した場合は、前記エンジン制御部に前記画像形成動作の停止を指示するとともに、前記ファンモータ駆動回路に前記ファンモータの停止の指示を停止制御手段により行うことを特徴とする。
【００１３】
また、請求項４の発明は、画像を媒体上に形成する一連の画像形成動作を制御するエンジン制御部と複数の冷却ファンとを備えた画像形成装置が前記複数の冷却ファンの動作異常を検知し、該検知結果に基づき印刷制御を行う制御方法であって、前記複数の冷却ファンをそれぞれ駆動する複数のファンモータと、前記複数のファンモータに供給する電流を前記エンジン制御部の制御状態に応じてそれぞれの複数のファンモータ駆動回路で調整制御し、前記エンジン制御部の制御状態に応じて前記複数のファンモータ駆動回路で調整制御されて前記複数のファンモータを流れる電流の規定値を予め規定値保持手段で取得して保持し、前記エンジン制御部の制御状態に応じて前記複数のファンモータ駆動回路で調整制御されて前記複数のファンモータを流れる電流値を電流検出回路で検出し、前記電流検出回路で検出された電流値と前記規定値保持手段で保持された規定値とに基づき前記複数の冷却ファンの動作異常の有無をファン異常検知手段で検知し、前記ファン異常検知手段で前記複数の冷却ファンの動作の異常を検知した場合は、前記エンジン制御部に前記画像形成動作の停止を指示するとともに、前記複数のファンモータ駆動回路に前記複数のファンモータの停止の指示を停止制御手段により行うことを特徴とする。
【発明の効果】
【００１４】
本発明の画像形成装置およびその制御方法によれば、複数のファンモータから出力される電流が加算された総電流の値が検出できるように各ファンモータと電流検出回路２３とが接続され、電流検出回路で検出された総電流値と規定値とに基づきファン動作の異常を検出するので簡易な回路構成でファンモータの異常が検知でき、ファンモータが複数配置されている場合であってもファンモータの異常を容易に検知することができる。
【００１５】
また、ファンモータの異常検知を簡易な回路で検知するように構成されているので冷却ファンを備えた画像形成装置の製造コストを軽減することができるという効果を奏する。
【発明を実施するための最良の形態】
【００１６】
以下、本発明に係わる画像形成装置およびその制御方法の一実施例について添付図面を参照して詳細に説明する。
【００１７】
図１は、本発明に係わる画像形成装置１００の要部の構成を示す構成図である。
【００１８】
図１に示す画像形成装置１００は、ファン動作制御装置２０と、ファンモータ１と、ファンモータ２と、直流電源３と、レーザーユニット４と、感光体トナーユニット５と、転写ローラ６と、定着部７と、表示部８と、制御部９と、ピックアップローラ１０と、搬送ローラ１１と、搬送ローラ１２と、搬送ローラ１３と、エンジン制御部１４と、用紙カセット１５と、記録紙１６を備えている。
【００１９】
また、ファン動作制御装置２０は、ファン駆動回路２１と、ファン駆動回路２２と、電流検出回路２３を備えている。
【００２０】
なお、ファン駆動回路２１には概略的な回路構成を示してあるがファン駆動回路２１とファン駆動回路２２とは同様な回路構成であり、説明の便宜上、ファン駆動回路２２の回路構成は省略して示してある。
【００２１】
また、各ファン駆動回路２１、２２は、モータの制御を行う公知のモータ制御回路のようにトランジスター等を組み合わせて構成された回路であるが、アナログ回路、デジタル回路のいずれの回路構成としてもよい。
【００２２】
感光体トナーユニット５は、感光体ドラム５１とトナーを含む現像器５２を備えている。
【００２３】
ファンモータ１及びファンモータ２は、各ファンモータとそれぞれ接続された図示せぬファンを回転させるモータであり、各ファンモータの駆動によりファンが回転することで画像形成装置１００内の各部や電子機器等の動作により発生する熱が装置１００外へ排気されるように構成されている。
【００２４】
ファンモータが高速駆動する程ファンも高速回転し、装置１００内の熱気を高速で排気できるので装置１００の冷却効果は高くなる。
【００２５】
ファン動作制御装置２０のファン駆動回路２１はファンモータ１の駆動制御を行う制御回路であり、ファン駆動回路２２はファンモータ２の駆動制御を行う制御回路である。
【００２６】
各ファン駆動回路２１、２２は、装置１００内の各部や電子機器等の動作状態に応じて各ファンモータ１、２の駆動制御を行い、装置１００の冷却に必要とするファンの回転数が得られるように直流電源３から各ファンモータ１、２へ流す電流を調整制御する。
【００２７】
また、各ファン駆動回路２１、２２は、後述するエンジン制御部１４とそれぞれ接続されており、エンジン制御部１４による制御状態を示す信号（以下、「動作状態信号」という。）がエンジン制御部１４から各ファン駆動回路２１、２２へ入力されることで各ファン駆動回路２１、２２が装置１００の動作状態を認識するとともに入力された動作状態信号に応じた各ファンモータ１、２の駆動制御を行う。
【００２８】
また、ファン動作制御装置２０の電流検出回路２３は、電流検出回路２３が接続された回路内に流れている電流の大きさ（値）を検出する検出回路であり、各ファンモータ１、２から出力される電流が加算された総電流の値（以下、「総電流値」という。）が検出されるようにファンモータ１とファンモータ２とに接続されている。
【００２９】
また、各ファンモータ１、２から出力される電流は、電流検出回路２３で検出後、ＧＮＤへ流れるように接続されており、エンジン制御部１４は、ファン動作制御装置２０の電流検出回路２３を介して入力される総電流値に基づき各ファンモータ１、２の動作状態を検知するとともに検知結果に応じて各ファン駆動回路２１、２２及び図示せぬ後述のエンジン部の制御を行う。
【００３０】
エンジン制御部１４は、印刷画像データに応じたトナー画像を感光体トナーユニット５で形成し、形成したトナー画像を用紙カセット１５から感光体トナーユニット５と転写ローラ６との間へ搬送された記録紙１６上に転写、定着、排紙までの一連の動作を行うエンジン部の動作を制御する。
【００３１】
レーザーユニット４は、印刷指示された印刷画像データに応じてレーザ光を感光体トナーユニット５の感光体ドラム５１へ出射するとともに感光ドラム５１の走査露光制御を行う。
【００３２】
感光体トナーユニット５は、感光体ドラム５１とトナーを含む現像器５２とが一体化された着脱可能に構成されたユニットであり、レーザーユニット４の走査露光制御により感光体ドラム５１表面上に印刷画像データに対応した潜像を形成し、トナーで現像してトナー画像を形成する。
【００３３】
転写ローラ６は、感光ドラム５１上に形成されたトナー画像を用紙カセット１５から搬送給紙された記録紙１６上に転写する。
【００３４】
定着部７は、記録紙１６上に転写されたトナー画像を記録紙１６に加熱ローラ及び加圧ローラで定着させる。
【００３５】
用紙カセット１５は、印刷画像データを形成する記録紙１６を蓄積収納するカセットであり、用紙カセット１５に収納された記録紙１６は、ピックアップローラ１０により記録紙１６の最上面から順次１枚ずつ取り出され、搬送ローラ１１、１２を介して感光体トナーユニット５と転写ローラ６との間へ搬送される。
【００３６】
操作表示部８は、画像形成装置１００の稼動状態や印刷ジョブの処理状況等のステータス情報、ファンモータの動作状態等を表示する表示パネルと、画像形成装置１００に対する指示操作を行う操作パネル等の装置とで構成され、これらの装置の動作制御を行う。
【００３７】
制御部９は、前述の各部及びファン動作制御装置２０の動作制御を行うとともに画像形成装置１００全体を統括制御する。
【００３８】
このように構成された画像形成装置１００は、簡易な回路構成で冷却ファンの動作異常を検知することができ、複数のファンモータのうちの何れかに異常が発生してもその異常が容易に検知できるように構成されているので画像形成装置１００に多数の冷却ファンおよびそのファンモータが配置された画像形成装置１００であってもその製造コストを軽減することができる。
【００３９】
このように構成された画像形成装置１００が装置に配置された各ファンモータの動作の異常有無を検知し、その検知結果に基づき行う制御動作について図２及び図３を参照し説明する。
【００４０】
図２は、画像形成装置１００が各ファンモータの動作の異常有無を検知し、その検知結果に基づき行う要部の制御動作を示す流れ図である。
【００４１】
図２に示すように、画像形成装置１００の電源投入後（ステップＳ２００）、画像形成装置１００が省電力モードにあるか（ステップＳ２０２でＹＥＳ）または印刷画像イメージの受信待ち状態では（ステップＳ２０３でＮＯ）、ファンモータ１及びファンモータ２は、停止状態にあり、各ファンモータに接続されたそれぞれのファンも停止状態にある（ステップＳ２０１）。
【００４２】
印刷指示された印刷画像データを画像形成装置１００が受信すると（ステップＳ２０３でＹＥＳ）、画像形成装置１００が省電力モードの場合は省電力モード解除後、受信した印刷画像データの印刷処理の準備を行うとともにファン動作制御部２０が制御部９の指令信号に基づきファンモータ１及びファンモータ２を低速駆動させる（ステップＳ２０４）。
【００４３】
ファンモータ１及びファンモータ２の低速駆動は、ファン駆動回路２１及びファン駆動回路２２が各ファンモータが低速駆動するのに必要な電流を直流電源３から各ファンモータへ流すように調整制御することにより行われる。
【００４４】
ファンモータ１及びファンモータ２を低速駆動後、各ファンモータ１、２から出力される電流の値を電流検出回路２３で検出するとともに、電流検出回路２３が検出した電流の値を示す信号（以下、「検出電流値信号」という。）をエンジン制御部１４へ入力する。  
電流検出回路２３で検出される電流値は、図中で示されるファンモータ１とファンモータ２及び電流検出回路２３の接続状態で明らかなようにファンモータ１から出力される電流値とファンモータ２から出力される電流値とが加算された値で検出される。
【００４５】
エンジン制御部１４は、電流検出回路２３から入力された検出電流値信号（検出された電流値）が各ファンモータ１、２の低速駆動時の規定値（ファンモータ１とファンモータ２とが正常に低速駆動している状態でのファンモータ１から出力される電流値とファンモータ２から出力される電流値とが加算された値）であるか否かを後述する検出値検査表３００（図３参照）を参照し、判断する（ステップＳ２０５）。
【００４６】
なお、検出値検査表３００は、エンジン制御部１４の図示せぬ記憶部に記憶保持されている。
【００４７】
ステップＳ２０５において、電流検出回路２３で検出された電流値が規定値でない場合（ステップＳ２０６でＮＯ）、エンジン制御部１４は、ファンモータ１またはファンモータ２の駆動状態が異常であると認識し、各ファン駆動回路２１、２２に対して各ファンモータ１、２の駆動を停止させる指令信号を出力するとともに図示せぬエンジン部に対して印刷処理を中止する指令信号を出力し、制御部９に対して各ファンモータ１、２の低速駆動時に異常を検知した旨を示す異常検知信号を出力する。
【００４８】
エンジン制御部１４からの指令信号に基づき各ファン駆動回路２１、２２が各ファンモータ１、２の駆動停止制御を行い、エンジン部が印刷中止処理を行い（ステップＳ２１５）、制御部９が操作表示部８にファンモータまたは冷却ファンの動作異常を表示させる制御を行う（ステップＳ２１６）。
【００４９】
なお、各ファンモータ１、２の駆動停止は、各ファン駆動回路２１、２２が直流電源３から各ファンモータ１、２へ供給される電流を遮断する制御を行うことで各ファンモータ１、２の駆動が停止する。
【００５０】
また、操作表示部８には、制御部９の制御によりファンモータまたは冷却ファンの動作異常検知の旨のメッセージが表示させる。
【００５１】
ステップＳ２０５において、電流検出回路２３で検出された電流値が規定値の場合は（ステップＳ２０６でＹＥＳ）、エンジン制御部１４が図示せぬエンジン部に対して印刷画像データに応じたトナー画像を感光体トナーユニット５で形成し、形成したトナー画像を用紙カセット１５から感光体トナーユニット５と転写ローラ６との間へ搬送された記録紙１６上に転写、定着、排紙までの一連の動作を行うよう指示するとともに（ステップＳ２０７）、ファン駆動回路２１、２２に各ファンモータ１、２を高速駆動させる指令信号を出力する。
【００５２】
エンジン制御部１４からの指令信号に基づき各ファン駆動回路２１、２２が各ファンモータ１、２を高速駆動させるとともに（ステップＳ２０８）、高速駆動時の各ファンモータ１、２から出力される電流の値を電流検出回路２３で検出する。
【００５３】
電流検出回路２３で検出した検出電流値信号は、エンジン制御部１４へ出力され、エンジン制御部１４が電流検出回路２３から入力された検出電流値信号が各ファンモータ１、２の高速駆動時の規定値であるか否かを検出値検査表３００（図３参照）を参照し、判断する（ステップＳ２０９）。
【００５４】
ステップＳ２０９において、電流検出回路２３で検出された電流値が規定値でない場合は（ステップＳ２１０でＮＯ）、前述と同様にエンジン制御部１４が各ファン駆動回路２１、２２に対して各ファンモータ１、２の駆動を停止させる指令信号を出力し、図示せぬエンジン部に対して印刷処理を中止する指令信号を出力し、制御部９に対して各ファンモータ１、２の高速駆動時に異常を検知した旨を示す異常検知信号を出力することで各ファン駆動回路２１、２２が各ファンモータ１、２の駆動停止制御を行い、エンジン部が印刷中止処理を行い（ステップＳ２１５）、制御部９が操作表示部８にファンモータまたは冷却ファンの動作異常を表示させる制御を行う（ステップＳ２１６）。
【００５５】
また、ステップＳ２０９において、電流検出回路２３で検出された電流値が規定値の場合は（ステップＳ２１０でＹＥＳ）、エンジン制御部１４の制御に基づく図示せぬエンジン部の動作により印刷画像データに応じたトナー画像が感光体トナーユニット５で形成され、トナー画像が用紙カセット１５から順次１枚づつ搬送給紙された記録紙１６上に転写、定着、排紙される一連の動作の印刷が行われる（ステップＳ２１１）。
【００５６】
また、印刷画像データの印刷中に適宜、ファンモータ１及びファンモータ２から出力される電流の値を電流検出回路２３で検出し、検出電流値が規定値であるか否かを検出値検査表３００（図３参照）を参照し、判断する（ステップＳ２１２）。
【００５７】
ステップＳ２１２において、電流検出回路２３で検出された電流値が規定値でない場合は（ステップＳ２１３でＮＯ）、前述と同様にエンジン制御部１４が各ファン駆動回路２１、２２に対して各ファンモータ１、２の駆動を停止させる指令信号を出力し、図示せぬエンジン部に対して印刷処理を中止する指令信号を出力し、制御部９に対して各ファンモータ１、２の高速駆動時に異常を検知した旨を示す異常検知信号を出力することで各ファン駆動回路２１、２２が各ファンモータ１、２の駆動停止制御を行い、エンジン部が印刷中の印刷中止処理を行い（ステップＳ２１５）、制御部９が操作表示部８にファンモータまたは冷却ファンの動作異常を表示させる制御を行う（ステップＳ２１６）。
【００５８】
また、ステップＳ２１２において、電流検出回路２３で検出された電流値が規定値の場合は（ステップＳ２１３でＹＥＳ）、エンジン制御部１４の制御に基づく図示せぬエンジン部の動作による印刷処理を継続するとともに印刷指示された全ての印刷画像データの印刷が終了したところで（ステップＳ２１４でＹＥＳ）、当該印刷処理を終了する。
【００５９】
前述した電流値検査表３００について図３を参照し説明する。
【００６０】
図３は、電流値検査表３００の一例を示す図であり、図３に示すように、検出値検査表３００には、画像形成装置１００に配置されたファンモータの個数と各ファンモータの駆動状態（低速駆動、高速駆動）に応じて電流検出回路２３で検出される電流値の規定値が設定されている。
【００６１】
これらの規定値は、ファンモータの個数に応じて各ファンモータをそれぞれのファン駆動回路で低速駆動または高速駆動させ、各駆動状態での各ファンモータから出力される各電流を電流検出回路２３で予め検出した取得した電流値である。
【００６２】
なお、各ファンモータの駆動状態は、ファンモータが複数の場合の低速駆動時は、全てのファンモータが正常に低速駆動している状態であり、高速駆動時は、全てのファンモータが正常に高速駆動している状態である。
【００６３】
電流値検査表３００によると、画像形成装置１００に例えばファンモータが１個配置されている場合（図中３０１）では、ファンモータが低速駆動時に「Ａ１」以上、高速駆動時に「Ａ２」以上の電流値が電流検出回路２３で検出された場合は、ファンモータが各駆動状態で正常に動作していることを示している。
【００６４】
また、例えばファンモータが２個配置されている場合（図中３０２）では、２個の各ファンモータが低速駆動時に「Ｂ１」以上、高速駆動時に「Ｂ２」以上の電流値が電流検出回路２３で検出された場合は、各ファンモータが各駆動状態で正常に動作していることを示してる。
【００６５】
なお、低速駆動時の「Ｂ１」の値及び高速駆動時の「Ｂ２」の各値は、前述したように各ファンモータが低速駆動時または高速駆動時における各ファンモータから出力される電流が加算された値である。
【００６６】
また例えばファンモータがｎ個配置されている場合（図中３０３）では、ｎ個の各ファンモータが低速駆動時に「ｎ１」以上、高速駆動時に「ｎ２」以上の電流値が電流検出回路２３で検出された場合は、各ファンモータが各駆動状態で正常に動作していることを示している。
【００６７】
なお、図３で示した検出値検査表３００の例では、ｎ個（ここではｎ≧１）のファンモータを低速駆動または高速駆動させた場合の規定値がそれぞれＡ１以上、Ｂ１以上、・・・ｎ１以上（低速駆動時）、Ａ２以上、Ｂ２以上、・・・ｎ２以上（高速駆動時）のように「〜以上」で示す粗い範囲の電流値で設定された例を示したが、各駆動状態での規定値をｎ１ａ〜ｎ１ｂ（低速駆動時）、ｎ２ａ〜ｎ２ｂ（高速駆動時）のように「〜以上」、「〜以下」で示す細かい範囲の電流値を設定してもよい。
【００６８】
また、各ファンモータの駆動状態を、低速駆動または高速駆動だけでなく、他の段階の駆動状態（例えば中速駆動等、画像形成装置１００の動作状態に対応した最適な駆動速度）を設定し、各駆動状態に応じた規定値を設定してもよい。
【００６９】
この場合は、ファンモータの個数に応じて各ファンモータが各駆動状態（低速駆動、中速駆動、高速駆動、その他画像形成装置１００の動作状態に対応した駆動速度状態）で正常駆動している場合の電流検出回路２３で検出された電流値に基づき各駆動状態での規定値を細かく設定する。
【００７０】
本実施例では、エンジン制御部１４が電流検出回路２３から入力された検出電流値信号と規定値とを比較してファンモータ１またはファンモータ２の駆動が異常であるか否かを判断する例を示したが、この判断をファン動作制御装置２０で行う構成としてもよい。
【００７１】
この場合は、ファン動作制御装置２０で検出値検査表３００を保持し、電流検出回路２３から出力された検出電流値信号と検出値検査表３００に保持された規定値とに基づきファンモータ１またはファンモータ２の駆動状態の異常有無を検知し、検知結果をエンジン制御部１４へ出力する構成とする。
【００７２】
以上説明したように、本発明の画像形成装置１００は、各ファンモータ１、２から出力される電流が加算された総電流の値が検出できるように各ファンモータ１、２と電流検出回路２３とが接続され、電流検出回路２３で検出された総電流値と規定値とに基づきファン動作の異常を検出するので簡易な回路構成でファンモータの異常が検知でき、ファンモータが複数配置されている場合であってもファンモータの異常を容易に検知することができる。
【図面の簡単な説明】
【００７３】
【図１】本発明に係わる画像形成装置１００の要部の構成を示す構成図
【図２】画像形成装置１００が各ファンモータの動作の異常有無を検知し、その検知結果に基づき行う要部の制御動作を示す流れ図
【図３】電流値検査表３００の一例を示す図
【符号の説明】
【００７４】
１、２  ファンモータ
３      直流電源  
４      レーザーユニット
５      感光体トナーユニット
６      転写ローラ
７      定着部
８      操作表示部
９      制御部
１０    ピックアップローラ
１１    搬送ローラ
１２、１３  搬送ローラ
１４    エンジン制御部
１５    用紙カセット
１６    記録紙
２０    ファン動作制御装置
２１    ファン駆動回路
２２    ファン駆動回路
２３    電流検出回路
５１    感光ドラム
５２    現像器
１００  画像形成装置
【図１】
2007233285.tif 000003
【図２】
2007233285.tif 000004
【図３】
2007233285.tif 000005